(57)【特許請求の範囲】
【請求項１】
温度を測定する温度センサーと、
前記温度センサーにより測定された温度を表示する表示部と、
測定する温度を１つのみ設定を行う設定スイッチと、
前記設定スイッチにより設定された設定温度を記憶するメモリーと、
アラーム音を発するアラーム部と、
前記アラーム部の駆動を停止させるスイッチと、
前記温度センサーにより測定された温度の情報を受け、該温度が前記メモリーに記憶されている設定温度と比較して合致したときに、前記アラーム部を駆動させてアラーム音を発生させる情報処理部とを備え、
前記情報処理部は、前記設定温度のときに前記アラーム部を駆動させてアラーム音を発生させた後、前記温度センサーにより測定された温度が前記設定温度より高くなるか低くなると、前記アラーム部の駆動を停止し、前記温度センサーにより測定された温度が、再び前記設定温度に達したと判断したときに、前記アラーム部を駆動させてアラーム音を発 生させる構成であることを特徴とする調理用温度計。
【請求項２】
前記表示部に、前記設定温度を実測温度より小さく表示することを特徴とする請求項１記載の調理用温度計。
【請求項３】
前記温度センサーと連結し、かつ温度計本体から延出する温度測定用の棒状部材を備え 、
前記棒状部材の前記温度計本体とは反対側の先端に取り外し可能な安全キャップを設けたことを特徴とする請求項１記載の調理用温度計。
【発明の詳細な説明】
【技術分野】
【０００１】
本発明は、使用者が設定した温度になるとアラーム音を発生して報知する温度計に関するものである。
【背景技術】
【０００２】
温度計は様々な状況で用いられている。例えば、料理をするときには、材料の調理中に加熱や冷却が行われ、加熱温度・冷却温度がその調理ステップにおける最適な温度になった時点で、次の調理ステップへ移るようにすることが、味がよく美味い料理を効率的に調理するために必要であって、そのため温度計を使用して、調理対象の液体物／スープなどの温度や、各種材料の温度をリアルタイムにて認識するようにしている。
【０００３】
この種の温度計には、使用者が設定した温度になるとアラーム音を発生して報知し、使用者に知らせるようにした構成のものもある。例えば、特許文献１に記載の棒状温度計では、設定スイッチにて使用者によって設定された温度設定値を記憶部に記憶しておき、測定された温度が温度設定値になるとアラーム音を発生させる構成になっている。
【先行技術文献】
【特許文献】
【０００４】
【特許文献１】実開平１−１２１８２６号公報
【発明の概要】
【発明が解決しようとする課題】
【０００５】
しかし調理中、例えば加熱している際、設定温度に達してアラーム音が鳴り、使用者がその調理材料を加熱状態から取り去っても、必ずしも調理材料が設定温度を維持しているとは限らない。余熱などにより設定温度からさらに上がってしまうことがある。逆に、冷却している際、設定温度に達してアラーム音が鳴り、その調理材料を冷却状態から取り去っても、設定温度を維持せずに設定温度からさらに下がってしまうことがある。
【０００６】
設定温度に達した調理材料を加熱／冷却状態から取り去るタイミングが遅れると、さらに設定温度から温度が上昇したり、下降したりする程度が大きくなる。そして、次の調理ステップの調理温度に悪影響を与えたり、次の調理ステップへの移行の適正チャンスを逃してしまうことになる。
【０００７】
しかし、設定温度に達した後に、設定温度から変化してしまっても、再び設定温度に達する場合もある。すなわち、調理材料を加熱状態あるいは冷却状態から取り去ると、環境温度によっては材料が冷えたり、温まったりして、再び設定温度に戻る場合もある。
【０００８】
ところが、従来の温度計では、設定温度に達してアラームが駆動すると所定時間／所定の温度範囲を過ぎれば、アラームが停止する構成であるため、再び設定温度に達しても報知されず、使用者は認識できない。
【０００９】
そこで本発明は、前記従来の課題を解決し、設定温度に達したことに対するアラーム音による報知をより徹底して行うことができ、利便性を向上させた温度計を提供することを目的とする。
【課題を解決するための手段】
【００１０】
本発明の調理用温度計は、温度を測定する温度センサーと、前記温度センサーにより測定された温度を表示する表示部と、測定する温度を１つのみ設定を行う設定スイッチと、前記設定スイッチにより設定された設定温度を記憶するメモリーと、アラーム音を発するアラーム部と、前記アラーム部の駆動を停止させるスイッチと、前記温度センサーにより測定された温度の情報を受け、該温度が前記メモリーに記憶されている設定温度と比較して合致したときに、前記アラーム部を駆動させてアラーム音を発生させる情報処理部とを備え、前記情報処理部は、前記設定温度のときに前記アラーム部を駆動させてアラーム音を発生させた後、前記温度センサーにより測定された温度が前記設定温度より高くなるか低くなると、前記アラーム部の駆動を停止し、前記温度センサーにより測定された温度が、再び前記設定温度に達したと判断したときに、前記アラーム部を駆動させてアラーム音を発生させる構成であることを特徴とする。
【００１２】
また本発明の調理用温度計は、前記表示部に、前記設定温度を前記実測温度より小さく表示することを特徴とする。
【００１３】
また本発明の調理用温度計は、前記温度センサーと連結し、かつ温度計本体から延出する温度測定用の棒状部材を備え、前記棒状部材の前記温度計本体とは反対側の先端に取り外し可能な安全キャップを設けたことを特徴とする。

【発明の効果】
【００１４】
本発明の温度計によれば、設定温度になってアラーム部が駆動され、アラーム音が鳴った後に設定温度から温度が上下変動してアラーム部が停止しても、再び設定温度に達すれば、その度にアラーム部が駆動されて、アラーム音が鳴るため、設定温度に達したことに対するアラーム音による報知が従来よりも徹底して行われることになる。
【００１５】
また、アラーム音による設定温度に達したことを知った時点でアラーム部の駆動を停止させるようにすることもできる。
【図面の簡単な説明】
【００１６】
【図１】本発明に係る温度計の実施形態の平面図である。
【図２】本実施形態における温度計の計測・制御系の構成を示すブロック図である。
【図３】本実施形態における温度測定とアラーム駆動に関するフローチャートである。
【図４】（ａ）〜（ｃ）は実施形態におけるアラームのオン・オフと表示に関する説明図である。
【図５】（ａ）〜（ｄ）本実施形態におけるアラームのオン・オフと表示に関する他例の説明図である。
【発明を実施するための形態】
【００１７】
以下、本発明の好適な実施形態を図面に基づいて説明する。
【００１８】
図１において、１は温度計の本体、２は、本体１に内蔵されている温度センサーと連結し、本体１の側方に延出するように設けられている検知棒状部材、３は検知棒状部材２の先端部に着脱可能に設けられる安全キャップ、４は液晶表示ユニットからなる表示部である。
【００１９】
本体１には、表示部４と、使用者が温度を増減して希望する温度設定するための一対の設定スイッチからなる設定部５と、設定部５による設定温度の決定やアラーム音を停止するためのセットスイッチ６と、電源のオン／オフを行う電源スイッチ７が設けられている。
【００２０】
本体１の内部には、図２に示す構成の計測・制御系が設置されており、図２において、８は温度センサー、９は表示部４を駆動する表示駆動部、１０はブザーなどからなるアラーム部１１を駆動するアラーム駆動部、１２は使用者が設定部５とセットスイッチ６によって設定した設定温度を記憶するメモリーである。なお、メモリー１２は情報処理部１３内に格納してもよい。
【００２１】
１３は、検知棒状部材２を介して温度センサー８が検出した温度の実測情報を受け、メモリー１２に記憶されている設定温度情報と比較し、両温度情報が合致したと判断したときに、アラーム駆動部１１を通してアラーム部１０を駆動させる情報処理部（ＣＰＵ：中央演算処理ユニット）である。
【００２２】
情報処理部１３では、設定部５からの温度設定信号、セットスイッチ６の設定決定信号、温度センサー８から出力される測定温度の情報を受けたり、メモリー１２に対して設定温度情報の入出力を行ったりする情報処理を行う。さらに情報処理部１３では、表示駆動部９を通して表示部４に設定温度を表示させると共に、温度センサー８で測定した実測温度を表示させたり、設定温度に達したときに、アラーム駆動部１１を通してアラーム部１０を駆動して、アラーム音を発生させたりする駆動処理を行う。
【００２３】
図３は本実施形態における情報処理部１３による温度情報処理とアラーム駆動との関連制御に関するフローチャートである。まず電源スイッチ７が押下されることによって温度計の動作がスタートし、使用者による設定部５とセットスイッチ６の操作により希望する設定温度の設定が行われる(Ｓ１)。
【００２４】
情報処理部１３は、設定温度を、表示駆動部９を通して表示部４に表示すると共に、メモリー１２に設定温度情報として記憶する。以後、検知棒状部材２を検温対象に接触／挿入することにより、温度センサー８から情報処理部１３に対して実測温度の情報が出力される。
【００２５】
情報処理部１３は、温度センサー８から実測温度の情報が得られると、その実測温度を、表示駆動部９を通して表示部４に表示させ、実測温度が設定温度に達したか否かを監視し、設定温度に達したと判断すると(Ｓ２のＹＥＳ)、アラーム駆動部１１を通してアラーム部１０を駆動して、アラーム音を鳴す(Ｓ３)。
【００２６】
実測温度が設定温度を維持している間は(Ｓ４のＹＥＳ)、アラーム部１０を作動させ続ける(Ｓ３)。ただし、使用者がセットスイッチ６を押下すればアラーム部１０の駆動を停止させて、アラーム音を止めることができる。
【００２７】
情報処理部１３は、アラーム部１０の駆動中、実測温度が設定温度に対して高くなるか低くなるかを監視しており(Ｓ４のＮＯ)、設定温度に対して温度が変化（上がるか下がるか）すると、アラーム部１０の駆動を一旦止め、アラーム音を止める(Ｓ５)。そして、この状態からステップ（Ｓ２）へと戻る。
【００２８】
そして情報処理部１３は、実測温度が設定温度に達したか否かを監視し、設定温度に達したと判断すると (Ｓ２のＹＥＳ)、再びアラーム部１０を駆動し、アラーム音を鳴す(Ｓ３)。この動作を使用者が電源スイッチ７をオフにするまで継続する(Ｓ６)。
【００２９】
図４は本実施形態におけるアラームのオン／オフと表示に関する説明図であって、図４（ａ）は、温度設定（アラームセット）を６０℃に設定したときの表示部の表示例であって、この場合、表示部４に実側温度の２０℃と設定温度の６０℃が表示される。図４（ｂ）は実測温度が設定温度の６０℃に達したときの表示部の表示であり、図４（ｃ）は実測温度が設定温度の６０℃から下がって５９℃になったことを示している。
【００３０】
図４（ｂ）に示す設定温度に達したときに、アラーム音が鳴るが（アラームＯＮ）、図４（ｃ）に示すように、設定温度から下がったときにはアラーム音は止まる（アラームＯＦＦ）。しかし、図４（ｂ）に示すように、再び実測温度が設定温度の６０℃に上がると、アラーム音が鳴り始まる（アラームＯＮ）。
【００３１】
図５は本実施形態におけるアラームのオン／オフと表示に関する他例の説明図であって、図５（ａ）では表示部４に実側温度の２０℃と設定温度の４０℃が表示されている。図５（ｂ）は、実測温度が９０℃のときに、４０℃に温度設定（アラームセット）をしたことを示しており、図５（ｃ）は実測温度が設定温度の４０℃に達したときの表示部の表示であり、図５（ｄ）は実測温度が設定温度の４０℃から上がって４１℃になったことを示している。
【００３２】
本例では、図５（ｃ）に示す設定温度に達したときに、アラーム音が鳴るが（アラームＯＮ）、図５（ｄ）に示すように、設定温度から上がったときにはアラーム音は止まる（アラームＯＦＦ）。しかし、図５（ｃ）に示すように、再び実測温度が設定温度の４０℃まで下がると、アラーム音が鳴り始まる（アラームＯＮ）。
【００３３】
本実施形態では、上記のように、設定温度になってアラーム音が鳴った後、温度変化してアラーム音が一旦止まっても、再び設定温度に達すれば、何回でもアラーム音が鳴ることになるため、設定温度に達したことに対するアラーム音による使用者に対する報知が徹底して行われることになる。
【００３４】
なお、前記実施形態における各部材の形状や配置設置などは、実施に際して仕様などに応じて適宜選択して決定する必要がある。
【産業上の利用可能性】
【００３５】
本発明は、設定温度に対する使用者へ徹底して報知が行われる温度計であって、例えば細かな温度設定が多く要求される調理に用いられる温度計として有用である。
【符号の説明】
【００３６】
１  温度計の本体
２  検知棒状部材
３  安全キャップ
４  表示部
５  設定部
６  セットスイッチ
７  電源スイッチ
８  温度センサー
９  表示駆動部
１０  アラーム部
１１  アラーム駆動部
１２  メモリー
１３  情報処理部
【図１】
0006744075.tif 000002
【図２】
0006744075.tif 000003
【図３】
0006744075.tif 000004
【図４】
0006744075.tif 000005
【図５】
0006744075.tif 000006